(57)【特許請求の範囲】
【請求項１】
複数のレンズが鏡胴に保持されて構成されたレンズ装置において、
前記鏡胴は、カメラ本体に取り付けられるマウント部が設けられるとともにレンズを保持する第１の鏡胴と、該第１の鏡胴に回動自在に連結されるとともにレンズを保持する第２の鏡胴とを備え、
第１の鏡胴と第２の鏡胴との連結部には、第１の鏡胴に対して第２の鏡胴がスリップすることにより第２の鏡胴の回動に所定の抵抗を与える抵抗付与手段が設けられていることを特徴とするレンズ装置。
【請求項２】
前記第２の鏡胴には、電動式又は手動式の絞り装置が取り付けられていることを特徴とする請求項１に記載のレンズ装置。
【発明の詳細な説明】
【０００１】
【発明の属する技術分野】
本発明はレンズ装置に係り、特に監視カメラに適用されるレンズ装置に関する。
【０００２】
【従来の技術】
監視カメラのレンズ装置は、鏡胴の光軸方向後端部に設けられたマウント環を、監視カメラの本体に締結することにより、監視カメラに取り付けられる。また、このレンズ装置には、アイリスとアイリスメータとを備えたアイリスユニットが内蔵されたものがあり、アイリスメータのケーブルコネクタを監視カメラ側のコネクタに接続することにより、監視カメラ側から電力が供給されてアイリスユニットが駆動される。
【０００３】
このため、監視カメラのレンズ装置は、レンズ装置を監視カメラ側に締結した後において、アイリスメータのケーブルコネクタを監視カメラ側のコネクタに接続できるように、監視カメラに対するレンズ装置の回動位置が調整可能に構成されている。このような回動位置調整機構を備えたレンズ装置は、例えば特開平９−２０３８４１号公報、及び特開平１０−１７１００２号公報等に開示されている。
【０００４】
かかる従来のレンズ装置を図３を参照して説明すると、レンズ装置１の鏡胴２とマウント環３とは相対的に回動自在に連結されるとともに、鏡胴２とマウント環３との連結部に、波板ばね５及び押さえ板６からなる回転抵抗付与機構が取り付けられ、この回転抵抗付与機構による回転抵抗によってマウント環３に対する鏡胴２の回動方向の位置が調整される。これにより、鏡胴２側に取り付けられたアイリスメータ６のケーブル７のコネクタ（不図示）を、二点鎖線で示す監視カメラ８側のコネクタ（不図示）に接続し易い位置に、鏡胴２を位置させることができる。
【０００５】
図３のレンズ装置１は、被写体側から見て第１レンズ群９、第２レンズ群１０、第３レンズ群１１からなる３群レンズによって構成されている。第３レンズ群１１を保持するレンズ枠１２のフランジ部１３にマウント環３の内側フランジ部１４が波板ばね５の付勢力で押圧されている。これによって、フランジ部１３と内側フランジ部１４との間に回転抵抗が生じ、この回転抵抗によって鏡胴２の回動方向の位置が調整される。
【０００６】
【発明が解決しようとする課題】
ところで、監視カメラ用レンズ装置のマウント環も、一般的なカメラの交換レンズと同様にＣマウント（取付ねじの直径Ｄ＝２５．４ｍｍ：国際的規格）が採用されている。
【０００７】
したがって、図３に示した従来のレンズ装置１の如く、マウント環３とレンズ保持枠１２との間に回転抵抗付与機構を設けると、マウント環３の直径が規格により決められている関係で、回転抵抗付与機構の取付スペース分だけ、第３レンズ群１１が小径になる。したがって、従来のレンズ装置１では、十分な光を監視カメラ８側に取り込むことができず、レンズ設計の自由度が少ないという欠点があった。
【０００８】
本発明はこのような事情に鑑みてなされたもので、Ｃマウントが採用されたレンズ装置であって、十分な光を取り込むことができ、レンズ設計の自由度を広げることができる監視カメラに適したレンズ装置を提供することを目的とする。
【０００９】
【課題を解決するための手段】
本発明は、前記目的を達成するために、複数のレンズが鏡胴に保持されて構成されたレンズ装置において、前記鏡胴は、カメラ本体に取り付けられるマウント部が設けられるとともにレンズを保持する第１の鏡胴と、該第１の鏡胴に回動自在に連結されるとともにレンズを保持する第２の鏡胴とを備え、第１の鏡胴と第２の鏡胴との連結部には、第１の鏡胴に対して第２の鏡胴がスリップすることにより第２の鏡胴の回動に所定の抵抗を与える抵抗付与手段が設けられていることを特徴としている。
【００１０】
請求項１に記載の発明によれば、マウント部が設けられた第１の鏡胴と、この第１の鏡胴に回動自在に連結された第２の鏡胴とによってレンズ装置の鏡胴を構成し、第１の鏡胴と第２の鏡胴との連結部に抵抗付与手段を設け、この抵抗付与手段の抵抗を利用して第２の鏡胴を所望の回動方向位置に調整する。第１の鏡胴は、規格品であるマウント部の寸法によって、その直径が規制されるが、本発明では抵抗付与手段を第１の鏡胴と第２の鏡胴との間に設けているので、第１の鏡胴の直径は抵抗付与手段に規制されることなく、最大限に大きく設定することができる。したがって、本発明のレンズ装置によれば、カメラ側に十分な光を取り込むことができる。
【００１１】
請求項２に記載の発明は、前記第２の鏡胴には、電動式又は手動式の絞り装置が取り付けられていることを特徴としている。電動式の絞り装置の場合は、第２の鏡胴の回動方向位置を抵抗付与手段で調整することによって、絞り装置のケーブルコネクタを監視カメラ側のコネクタに接続することができ、また、手動の絞り装置の場合には、それを駆動する手動レバーの位置を、操作し易い所望の位置に調整することができる。
【００１２】
【発明の実施の形態】
以下添付図面に従って本発明に係るレンズ装置の好ましい実施の形態を詳述する。
【００１３】
図１に示す第１の実施の形態の監視カメラ用レンズ装置１０は、撮影光軸Ｐの前方から後方に向けてフォーカスレンズ１２、ズームレンズ１４、及びリレーレンズ１６が配置された３群レンズからなるレンズ装置である。また、フォーカスレンズ１２とズームレンズ１４との間には虹彩絞り等のアイリス１８が取り付けられ、このアイリス１８は、アイリスメータ２０によって駆動される。すなわち、アイリスメータ２０の不図示のケーブルコネクタを、不図示の監視カメラ本体のコネクタに接続することにより、監視カメラ本体側から電力が供給され、アイリス１８がアイリスメータ２０によって駆動される。
【００１４】
ズームレンズ１４及びリレーレンズ１６は、第１の鏡胴２２に支持されている。すなわち、ズームレンズ１４はレンズ保持枠２４に保持され、このレンズ保持枠２４の外周面に突設されたカム部材２６が、第１の鏡胴２２に光軸Ｐに沿って形成された直進溝２８に嵌合されている。また、カム部材２６の先端に形成されたカムピン３０が直進溝２８から外方に突出され、第１の鏡胴２２の外周に回動自在に配置されたズームリング３２のカム溝３４に嵌合されている。したがって、ズームリング３２をレバー３６を用いて光軸Ｐを中心に回動すると、カム溝３４によって規制される軌跡に沿ってズームレンズ１４が光軸Ｐ方向に前後移動し、ズーミングがなされる。なお、カム部材２６は、レンズ保持枠２４の周囲に等間隔で３箇所形成され、これに合わせて第１の鏡胴２２の直進溝２８及びズームリング３２のカム溝３４もそれぞれ３本形成されている。
【００１５】
リレーレンズ１６は、第１の鏡胴２２と一体又は別体に形成されたレンズ保持枠３８に保持され、このレンズ保持枠３８を介して第１の鏡胴２２に支持されている。
【００１６】
リレーレンズ１６のレンズ保持枠３８の外周には、Ｃマウント（取付ねじの直径Ｄ＝２５．４ｍｍ）であるマウント環４０が配置される。このマウント環４０は、第１の鏡胴２２及びズームリング３２に対して回動自在に取り付けられ、その外周に形成された雄ねじ４１を不図示の監視カメラ本体に締結することにより、レンズ装置１０が監視カメラに取り付けられる。
【００１７】
一方、フォーカスレンズ１２は、第２の鏡胴４２に支持されている。すなわち、フォーカスレンズ１２はレンズ保持枠４４に保持され、このレンズ保持枠４４に突設されたカム部材４６が、第２の鏡胴４２に光軸Ｐに沿って形成された直進溝４８に嵌合されている。また、カム部材４６の先端に形成されたカムピン５０が直進溝４８から外方に突出され、第２の鏡胴４２の外周に回動自在に配置されたフォーカスリング５２のカム溝５４に嵌合されている。したがって、フォーカスリング５２をレバー５６を用いて光軸Ｐを中心に回動すると、カム溝５４によって規制される軌跡に沿ってフォーカスレンズ１２が光軸Ｐ方向に沿って前後移動し、フォーカシングがなされる。なお、カム部材４６は、レンズ保持枠４４の周囲に等間隔で３箇所形成され、これに合わせて第２の鏡胴４２の直進溝４８及びフォーカスリング５２のカム溝５４もそれぞれ３本形成されている。この第２の鏡胴４２にアイリスメータ２０が取り付けられている。
【００１８】
第１の鏡胴２２の前端部と第２の鏡胴４２の後端部との連結部には、リング状の波板ばね６０及び押さえ板６２からなるスリップ機構（抵抗付与手段）６４が取り付けられている。また、このスリップ機構６４を介して第１の鏡胴２２と第２の鏡胴４２とが光軸Ｐを中心に相対的に回動自在に連結されている。更に、スリップ機構６４による回動抵抗は、第２の鏡胴４２に対するフォーカスリング５２の回動抵抗よりも大きめに設定されている。これにより、フォーカスリング５２の回動時に第２の鏡胴４２が第１の鏡胴２２に対して供回りするのが防止されている。
【００１９】
スリップ機構６４の波板ばね６０は、第１の鏡胴２２の前端部に形成されたフランジ部２３に当接される。また、波板ばね６０は、スリップ機構６４の押さえ板６２に押されてフランジ部２３に押圧当接される。これにより、波板ばね６０とフランジ部２３との間に回動方向の抵抗（摩擦）が発生し、この抵抗が第２の鏡胴４２の回動方向位置を調整するための抵抗となる。
【００２０】
押さえ板６２は、波板ばね６０に形成された不図示の係合ピン又は係合孔を介して一体的に連結されるとともに、第２の鏡胴４２の後端大径部４３の内周面に形成された溝４３Ａに嵌合され、第２の鏡胴４２とともに回動される。したがって、第２の鏡胴４２がその回動方向位置調整のために回動されると、押さえ板６２と波板ばね６０とが一体的に回動し、波板ばね６０がフランジ部２３を所定の抵抗を持って摺動する。位置調整終了すると、第２の鏡胴４２は、前記抵抗によってその位置に保持される。また、フォーカスリング５２を回動しても、第２の鏡胴４２は前述した抵抗の差によって回動しない。
【００２１】
このように構成された監視カメラ用レンズ装置１０によれば、第１の鏡胴２２は、規格品であるマウント環４０の寸法によって、その直径が規制されるが、実施の形態のレンズ装置１０は、スリップ機構６４を第１の鏡胴２２と第２の鏡胴４２との連結部に設けているので、第１の鏡胴２２の直径はスリップ機構６４に規制されることなく、最大限に大きく設定することができる。
【００２２】
したがって、第１の実施の形態のレンズ装置１０によれば、図３に示した従来のレンズ装置１と比較して、第３レンズ群であるリレーレンズ１６の直径を大きくとることができるので、監視カメラ側に十分な光を取り込むことができる。
【００２３】
図１に示した絞り装置は、アイリスメータ２０によってアイリス１８を駆動する電動式なので、アイリスメータ２０のケーブルコネクタを監視カメラ側のコネクタに接続し易い位置に第２の鏡胴４２の回動位置を調整する。
【００２４】
図２は、第２の実施の形態のレンズ装置７０であり、図１に示した第１の実施の形態のレンズ装置１０と同一又は類似の部材については同一の符号を付してその説明は省略する。
【００２５】
図２のレンズ装置７０は、第１レンズ群１２と第２レンズ群１４とからなる２群レンズ構成のレンズ装置である。また、第１レンズ群１２と第２レンズ群１４との間にはアイリス１８が設けられ、このアイリス１８は第２の鏡胴４２に取り付けられたアイリス手動機構７２のレバー７４によって駆動される。
【００２６】
また、スリップ機構６４は、図１のレンズ装置１０と同様に第１の鏡胴２２と第２の鏡胴４２との連結部に設けられ、その構成、作用は図１のスリップ機構６４と同一である。
【００２７】
このレンズ装置７０も同様に、図３に示した従来のレンズ装置１と比較して、第２レンズ群１４の直径を大きくとることができるので、監視カメラ側に十分な光を取り込むことができる。
【００２８】
図２のレンズ装置７０は、前述の如くアイリス１８をレバー７４で駆動する手動式のものなので、レバー７４を操作し易い所望の回動位置に第２の鏡胴４２の回動位置を調整する。
【００２９】
【発明の効果】
以上説明したように本発明に係るレンズ装置によれば、マウント部が設けられた第１の鏡胴と、この第１の鏡胴に回動自在に連結された第２の鏡胴とによってレンズ装置の鏡胴を構成し、第１の鏡胴と第２の鏡胴との連結部に抵抗付与手段を設け、この抵抗付与手段の抵抗を利用して第２の鏡胴を所望の回動方向位置に調整するので、第１の鏡胴の直径は抵抗付与手段に規制されることなく、最大限に大きく設定することができる。したがって、本発明のレンズ装置によれば、カメラ側に十分な光を取り込むことができる。
【００３０】
また、本発明によれば、前記第２の鏡胴に電動式の絞り装置がある場合には、第２の鏡胴の回動方向位置を抵抗付与手段で調整することによって、絞り装置のケーブルコネクタを監視カメラ側のコネクタに接続することができ、また、手動の絞り装置がある場合には、それを駆動する手動レバーの位置を、操作し易い所望の位置に調整することができる。
【図面の簡単な説明】
【図１】第１の実施の形態に係わるレンズ装置を示す断面図
【図２】第２の実施の形態に係わるレンズ装置を示す断面図
【図３】従来のレンズ装置の断面図
【符号の説明】
１０、７０…監視カメラ用レンズ装置、１２…フォーカスレンズ、１４…ズームレンズ、１６…リレーレンズ、１８…アイリス、２０…アイリスメータ、２２…第１の鏡胴、３２…ズームリング、４０…マウント環、４２…第２の鏡胴、５２…フォーカスリング、６０…波板ばね、６２…押さえ板、６４…スリップ機構、７２…アイリス手動機構、７４…レバー
【図１】
0003899512.tif 000002
【図２】
0003899512.tif 000003
【図３】
0003899512.tif 000004